(57)【要約】【課題】２つのロープのループを同期して動かすこと。【解決手段】レクリエーション装置は、人々を載せるための輸送手段（２）が周囲をまわり、この輸送手段（２）のためのロープ駆動部（５、１２）を備えている、固定式の支持構造体（１）を有する。このロープ駆動部（５、１２）は、１つの単一の閉じたループの搬送用ロープ（１２）を有し、この搬送用ロープ（１２）は、偏向用装置（１４、１６、１７；１８、１９、２０、２３）により互いに交差し、輸送手段（２）に係合する２つのロープのループ（１２ａ、１２ｂ）を形成する。【選択図】      図１
2007144164.tif 000002
【特許請求の範囲】
【請求項１】
人々のための輸送手段（２）が周囲をまわり、この輸送手段のためのロープ駆動部（５、１２）を備えている、固定式の支持構造体を有する（１）レクリエーション装置において、偏向装置（１４、１６、１７；１８、１９、２０、２３）により交差されて、輸送手段（２）と係合する、２つのロープのループ（１２ａ、１２ｂ）を形成する１つの単一の閉じたループの搬送用ロープ（１２）が設けられていることを特徴とするレクリエーション装置。
【請求項２】
前記搬送用ロープ（１２）は、摩擦で係合する接続（７、１３）により前記輸送手段（２）に係合することを特徴とする請求項１に記載のレクリエーション装置。
【請求項３】
少なくとも１つのロック可能なプーリ（１３）が、前記輸送手段に設けられ、前記搬送用ロープは、このプーリ（１３）に支持されることを特徴とする請求項２に記載のレクリエーション装置。
【請求項４】
前記搬送用ロープ（１２）は、着脱可能な複数のクランプを用いて、前記輸送手段に接続されることを特徴とする請求項２に記載のレクリエーション装置。
【請求項５】
前記輸送手段（２）は、接続手段（９）を用いて、互いに間隔を固定されて接続されることを特徴とする請求項１乃至４のいずれか１に記載のレクリエーション装置。
【請求項６】
前記接続手段（９）は、前記輸送手段に固定されて接続される少なくとも１つのロープにより形成されることを特徴とする請求項５に記載のレクリエーション装置。
【請求項７】
前記輸送手段（２）は、複数の走行ローラ（７、１１）により前記支持構造体（１）の複数のレール（２）を動くことを特徴とする請求項１乃至６のいずれか１に記載のレクリエーション装置。
【請求項８】
前記搬送用ロープ（１２）は、前記走行ローラ（７）に支持され、この走行ローラ（７）を駆動することを特徴とする請求項２又は７に記載のレクリエーション装置。
【請求項９】
前記偏向装置（１４、１６、１７；１８、１９、２０、２３）は、互いに同軸状となるように隣接して取り付けられている２つの駆動ディスク（１４ａ、１４ｂ；１８ａ、１８ｂ）と、この偏向装置（１４、１６、１７；１８、１９、２０、２３）の以前で入る側で互いに隣接するように設けられている一対の偏向ローラ（１６ａ、１６ｂ、１９ａ、１９ｂ；１７ａ、１７ｂ、２０ａ、２０ｂ）と、この偏向装置（１４、１６、１７；１８、１９、２０、２３）の以後で出る側で互いに隣接するように設けられている他方の対の偏向ローラとが設けられていることを特徴とする請求項１乃至８のいずれか１に記載のレクリエーション装置。
【請求項１０】
前記駆動ディスク（１４ａ、１４ｂ）は、反対方向に駆動され、また、前記偏向ローラ（１６ａ、１６ｂ；１７ａ、１７ｂ）は、これら偏向ローラの軸が互いに平行にして取り付けられていることを特徴とする請求項９に記載のレクリエーション装置。
【請求項１１】
前記駆動ディスク（１４ａ、１４ｂ）が互いに同方向に駆動され、一対の前記偏向ローラ（２０ａ、２０ｂ）は、これらの軸が同軸状になるように取り付けられ、他方の対の前記偏向ローラ（１９ａ、１９ｂ）は、これらの軸を互いに傾斜させて取り付けられ、案内装置（２３）が、前記他方の対の偏向ローラ（１９ａ、１９ｂ）の領域に配置され、前記ロープのループ（１２ａ、１２ｂ）が、前記案内装置（２３）と他方の対の偏向ローラ（１９ａ、１９ｂ）との間で交差することを特徴とする請求項９に記載のレクリエーション装置。
【請求項１２】
前記案内装置（２３）は、前記搬送用ロープ（１２）の動きの方向で、前記他方の対の偏向ローラ（１９ａ、１９ｂ）の以前に配置されていることを特徴とする請求項１１に記載のレクリエーション装置。
【請求項１３】
前記案内装置（２３）は、２つの同軸状に取り付けられているプーリ（２４ａ、２４ｂ）を有することを特徴とする請求項１１又は１２に記載のレクリエーション装置。
【発明の詳細な説明】
【技術分野】
【０００１】
本発明は、人々のための輸送手段が周囲をまわり、この輸送手段のためのロープ駆動部を備えている、固定式の支持構造体を有するレクリエーション装置に関する。
【背景技術】
【０００２】
このタイプのレクリエーション装置は、特許文献１から既知である。この文献では、モータにより駆動される２つのエンドレスの駆動用ロープにより複数の客室が駆動される。この実施形態の不都合な点は、２つの別々のロープのループが確実に同期して動くことが、非常に高度な技術的な努力を用いないと可能でないことである。なぜならば、駆動ディスクの直径又は周囲の長さの小さな違いでさえも２つのロープのループの異なる搬送速度の原因となりうるため、２つの駆動部を同じ回転速度で運転させることは十分ではないからである。
【特許文献１】ＥＰ  Ａ  ４５９  ７８９号公報
【発明の開示】
【発明が解決しようとする課題】
【０００３】
したがって、本発明は、導入部で特定されている一般的なタイプのレクリエーション装置のための、２つのロープのループが同期して動くことが保障される駆動部を提供するという目的に基づいている。
【課題を解決するための手段】
【０００４】
この目的は、偏向装置により交差されて、各々が輸送手段と係合する、２つのロープのループを形成する１つの単一の閉じたループの搬送用ロープを提供することにより一般的なレクリエーション装置で達成される。
【０００５】
本発明は、唯一で単一の、支持構造体の周囲に位置し、２つのロープのループで輸送手段と接続されるエンドレスのロープを提供するので、２つのロープのループを同期させて動かすことは、自動的に保障される。
【０００６】
２つのロープのループを輸送手段に接続するために２つの実施形態が好ましい。  
一方の実施形態は、前記搬送ロープが摩擦でロックする接続により前記輸送手段に係合し、また、少なくとも１つのロック可能なプーリが、前記輸送手段に取り付けられ、前記搬送用ロープは、このプーリに支持されていることを特徴とする。この実施形態において、前記接続は、非常に単純である。なぜならば、この接続は、前記輸送手段の対応する接触領域、特に、この輸送手段の走行フレーム、に対してしっかりと支持される搬送用ロープにより発生される摩擦のみにより与えられるからである。
【０００７】
他方の好ましい実施形態は、前記搬送用ロープが、着脱可能な複数のクランプを用いる輸送手段に接続されることを特徴とする。この実施形態により、前記着脱可能な複数のクランプに対して比較的高度な技術的な努力が必要とされるが、前記搬送用ロープと輸送手段との間のさらによりしっかりとした接続が保障される。
【０００８】
偏向の方向と、前記ロープのための駆動部とに関して、本発明の実質的に２つの好ましい変形例がある。  
これら２つの変形例は、前記偏向装置が、互いに同軸状になるように隣接して取り付けられている２つの駆動ディスクを有し、各々の場合に、前記偏向装置の以前の前記搬送用ロープが入る側と、この偏向装置の以後のこの搬送用ロープが出る側とに、互いに隣接して取り付けられている１対の偏向ローラを有している点で共通している。
【０００９】
第１の変形例は、前記駆動ディスクが互いに反対方向に駆動され、また、前記複数の偏向ローラが軸を互いに平行にして取り付けられていることを特徴とする。  
第２の変形例は、前記駆動ディスクが互いに同方向に駆動され、１対の偏向ローラは、これらの軸が同軸になるように取り付けられ、他方の対の偏向ローラは、これらの軸を互いに傾斜させて取り付けられ、案内装置が、前記他方の対の偏向ローラの領域に配置され、前記ロープのループが、前記案内装置と他方の対の偏向ローラとの間で交差することを特徴とする。
【００１０】
本発明の他の好ましい実施形態は、残りの下位クレームの対象である。  
本発明の他の有利な点と特徴とは、添付されている図面を参照した、本発明の好ましい実施形態の以下の説明からもたらされる。
【発明を実施するための最良の形態】
【００１１】
図１は、「観覧車」とも称される、本発明に係るレクリエーション装置の斜視図を示している。このレクリエーション装置は、固定式の頑丈な支持構造体１を有し、この支持構造体１は、例えば、鉄筋コンクリートのリングとして完成され、このリングの周りを、複数の客室の形態の輸送手段２が回っている。支持構造体１の外面４は、底部に位置している入場及び退場領域３を例外として、円筒状である。しかし、この円筒からずれた形状でもよく、例えば、楕円形でもよい。入場及び退場領域３では、比較的長い水平な入口領域（詳細に図示されていない）を乗客のために与えるために、外面４は、まっすぐである。駆動部５が、この入場及び退場領域３の下に配置されており、実際には、見えないように機械室の中に配置されている。
【００１２】
複数のレール６が、支持構造体１の周囲の外面４に複数の走行ローラ７と共に取り付けられており、これら走行ローラ７は、客室２の走行フレーム８に取り付けられ、前記レール上を転がる。個々の客室２は、互いに接続され、１つ以上の接続用ロープ９により、互いに規定された距離で保持されている。これら接続用ロープ９は、各客室２の走行フレーム８に複数のクランプ１０により固定して接続されている。これら接続用ロープ９の代わりに他の接続手段を与えることも可能である。しかしながら、３つの接続用ロープ９を用いると好都合である。これは、客室２の間で非常に安定し確実な接続が行なわれるからである。
【００１３】
図３は、また、走行フレーム８ごとに他の２対の走行ローラ１１を示している。これら他の走行ローラ１１は、構造体１の下の入場及び退場領域３で客室２がぶら下げられる時に、これら客室２を支持する役割をする。
【００１４】
客室２には、乗降口が配置され、場合によっては、シートが設けられている、この乗降口は、客室が、支持構造体１の周りを回りながら回転すると、適当な装置により、常に水平に保たれる。
【００１５】
客室２は、１つの単一の閉じたループのロープ１２により駆動され、このロープ１２は、２つのループ１２ａ、１２ｂの中で客室２の走行フレーム８の走行ローラ７を介して、客室２の両側に係合している。この実施形態において、走行ローラ７は、同時にフリクションローラの役割を果たし、２つのロープのループ１２ａ、１２ｂの同期した前進運動の結果として、摩擦力により走行ローラ７に推進力がかけられ、この推進力により、客室２は、前方へ動かされる。力の伝達の形態が選択された結果として、客室２は搬送用ロープ１２の２つのロープのループ１２ａ、１２ｂの半分の速さで動く。
【００１６】
図４に示されている実施形態において、走行ローラ７は、図３の実施形態における走行ローラとは、特に、合計で１２個の走行ローラの形態である点で異なるデザインである。これら１２個の走行ローラのうち、４対の走行ローラは、２本のレール６の一方の側に配置され、４つの個別のローラは、レールの対向する内側を転がる。走行ローラの数を負荷に応じて変化させることができる。
【００１７】
図４は、またロープのループ１２ａ、１２ｂと、走行フレーム８との間の異なる形態の結合を示している。この実施形態において、ロープのループ１２ａ、１２ｂは、別々のフリクションホイール（すなわちプーリ）１３に係合している。これらフリクションホイール１３は、走行フレーム８に回転可能に取り付けられているが、通常の動作の為に、これらフリクションホイール１３が回転しないように、ロックされることができる。ロープ１２とフリクションホイール１３との間の摩擦の結果として、客室は、ロープのループ１２ａ、１２ｂと同じ速さで搬送される。これらフリクションホイール１３の回転可能な取付による機能は以下でさらに説明される。
【００１８】
複数のモータ１５により駆動される２つの駆動ディスク１４が、図５で、本発明の第１の実施形態において詳細に見られるように、駆動部５の領域に設けられている。これら駆動ディスクは、同じ速さで互いに反対方向に回転している。これら２つの駆動ディスク１４ａ、１４ｂを同時に運転することは、制御に関連した手段により又は２つの駆動ディスクを機械的にカップリングすることにより得られる。これら駆動ディスク１４ａ、１４ｂの上方に、２対の偏向ローラ１６ａ及び１６ｂと、１７ａ及び１７ｂとが設けられている。これら偏向ローラの回転軸は、互いにずらされている。これら偏向ローラの回転軸がずらされて配置されている結果、２つのロープのループ１２ａ、１２ｂが駆動部５の領域で交差することができる。具体的には、図５の左から入っているロープのループ１２ａのロープは、偏向ローラ１６ａと、駆動ディスク１４ａとを回り、それから、偏向ローラ１７ｂで案内され、ロープのループ１２ｂで駆動部５から出ている。対照的に、左から入っているロープのループ１２ｂのロープは、偏向ローラ１６ｂを駆動ディスク１４ｂへ案内され、偏向ローラ１７ａを動いて、ロープのループ１２ａで駆動部５を出ている。換言すれば、ロープ１２は、駆動部５を介して、ロープのループ１２ａからロープのループ１２ｂへ切替えられ、ロープのループ１２ｂからロープのループ１２ａへ切替えられている。
【００１９】
２つのロープのループ１２ａ及び１２ｂの完全に同期した動きは、これら２つのロープのループ１２ａ及び１２ｂが１つの単一の閉じたループのロープにより形成されている結果として保障され、この結果、客室２が傾かずに移動することが確実となり、走行フレーム８を支持構造体１のレール６で支持させるための努力が最小化できるだけではなく、走行フレーム及びレールの磨耗を可能な限り低く保つ。
【００２０】
本発明に係るレクリエーション装置を組み立てた後、駆動部５を、最初にならし運転しなければならない。２つの駆動ディスク１４ａ、１４ｂは、正確に同じ直径と周囲の長さとを有するような正確さで製造されることは、不可能であるためこのならし運転は必要である。この正確に同じ直径と周囲の長さとは、唯一の単一の周囲を動くロープが用いられ、したがって、２つのロープのループ１２ａ、１２ｂは、同じ速さで駆動されなければならないために、必要とされる。
【００２１】
ならし運転の工程により、２つの駆動ディスク１４ａ及び１４ｂの間の幾何学的な相違は、主に、駆動ディスク１４ａ並びに／もしくは１４ｂでの機械磨耗の結果として、なくなる。しかしながら、客室２がこのならし運転の工程で駆動される必要がないならば好都合である。図４の実施形態におけるフリクションホイール１３が、始めは自由に回転可能なのは、この理由のためである。この結果、搬送用ロープ１２は、客室２を動かすことなくこれらフリクションホイール１３を通っていくことができる。フリクションホイール１３はならし運転の工程が完了すると、ロックされるだけである。この結果、客室２は、ロープ１２とフリクションホイール１３との間の摩擦でロックされる接続の結果、このロープ１２と同じ速さで動く。
【００２２】
図面から見ることができるように、ロープ１２は、走行ローラ７とフリクションローラ（すなわちフリクションホイール）１３とを外側から支持し、その結果、張られた接続用ロープ９に加えて、張られたロープ１２も客室の走行フレーム８をレール６にしっかりと押し付ける。しかしながら、入場及び退場領域３の始めのところで、ロープ１２は、走行ローラ７とフリクションローラ１３とから離れて動く。これは、ロープ１２は、偏向ローラ１６ａ、１６ｂへ直接、搬送され、一方、レールを伴う案内用軌道４は、水平に続いているからである。この入場及び退場領域の終わりで、ロープ１２と、走行ローラ７及びフリクションローラ１３との間が再び接触するまで、客室２は、接続用ロープ９により駆動される。この接続用ロープ９により、客室２の走行フレーム８は、レール６に押圧されて維持され続ける。述べたように、走行ローラ１１（図３）もしくは径方向に内側に位置している走行ローラ７の複数の対（図４）が、追加して設けられている。これら走行ローラ１１もしくは走行ローラ７のこれら対は、ぶら下げられるゴンドラ２がレール６からはずれるのを防止する。
【００２３】
フリクションローラ１３（図４）又は走行ローラ（図３）の形態のロープ１２と走行フレーム８との間の摩擦による接続の代わりに、ロープ１２と走行フレーム８との間に他の形態の接続を設けることも基本的に可能である。例えば、脱着可能な複数の結合部材を走行フレームに設けることもでき、これら結合部材により、客室２は、入場及び退場領域３の始めのところで、ロープ１２から取り外され、この入場及び退場領域３の終わりのところで再びロープ１２に結合される。
【００２４】
図７と図８とは、駆動部５の他の実施形態を示している。２つの駆動ディスク１８ａ、１８ｂがこの場合も設けられている。しかしながら、この実施形態において、これら駆動ディスク１８ａ、１８ｂは、同じ方向に回転し、シャフト２１により互いにしっかりと接続されている。これら駆動ディスク１８ａ、１８ｂは、１つ又は２つのモータ２２により駆動されている。２つのモータ２２を用いると好ましい。一方のモータが故障した場合、故障したモータをシャフト２１から切り離すことにより、場合によっては減少した出力で、このレクリエーション装置の運転は継続することができる。
【００２５】
図７と図８とに示されている実施形態において、２つの同軸に配置されている偏向ローラ２０ａ、２０ｂが、出て行く側に設けられており、互いに近接して設けられているが、回転軸が互いに傾斜している２つの偏向ローラ１９ａ、１９ｂが、入る側に設けられている。加えて、案内装置２３がこれら２つの偏向ローラ１９ａ、１９ｂの前の、入る側に設けられており、この案内装置２３は、互いに同軸に取り付けられ、互いに反対に回転する２つのプーリ２４ａ、２４ｂを有している。この場合、２つのロープのループ１２ａ、１２ｂは、案内装置２３と２つの偏向ローラ１９ａ、１９ｂとの間の領域で交差する。具体的には、図７及び図８の左から入るロープのループ１２ａのロープは、案内装置２３の上側のプーリ２４ａを通って、偏向ローラ１９ｂへ、そして、駆動ディスク１８ｂに動き、それから、偏向ローラ２０ｂで案内されて、ロープのループ１２ｂで駆動部５から出る。対照的に、左から入るロープのループ１２ｂのロープは、案内装置２３の下側のプーリ２４ｂを介してロープのループ１２ａのロープの下方で案内されて、偏向ローラ１９ａ、駆動ディスク１８ａ及び偏向ローラ２０ａを通って、ロープのループ１２ａで駆動ユニット５から出る。
【００２６】
図７と図８とによる駆動部の実施形態は、図５と図６とによる駆動部の実施形態と比較すると、案内装置２３を追加的に必要とするが、この実施形態は、シャフト２１により与えられる機械的結合により２つの駆動ディスク１８ａ、１８ｂの同期的な駆動に関して、上で触れた好都合な点を有している。
【図面の簡単な説明】
【００２７】
【図１】本発明に係るレクリエーション装置の例示的な実施形態の斜視図である。
【図２】下方に駆動部が位置している、レクリエーション装置の入場及び退場領域の拡大図である。
【図３】客室への搬送用ロープの接続の第１実施形態を示している。
【図４】客室をレールで案内する、代わりの実施形態を示している。
【図５】レクリエーション装置の駆動部を拡大図で示している。
【図６】図５の駆動部の領域のロープの案内を示している。
【図７】駆動部の代替的な変形例を示している。
【図８】図７の駆動部の領域のロープの案内を示している。
【符号の説明】
【００２８】
１…支持構造体（構造体）、  ２…客室（輸送手段、ゴンドラ）、  ３…入場及び退場領域、  ４…外面（案内用軌道）、  ５…駆動部（駆動ユニット）、  ６…レール、  ７…走行ローラ、  ８…走行フレーム、  ９…接続用ロープ、  １０…クランプ、  １１…走行ローラ、  １２…ロープ（搬送用ロープ）、  １２ａ…ループ（ロープのループ）、  １２ｂ…ループ（ロープのループ）、  １３…フリクションホイール（フリクションローラ）、  １４…駆動ディスク、  １５…モータ、  １６ａ…偏向ディスク、  １６ｂ…偏向ディスク、  １７ａ…偏向ディスク、  １７ｂ…偏向ディスク、  １８ａ…駆動ディスク、  １８ｂ…駆動ディスク、  １９ａ…偏向ローラ、  １９ｂ…偏向ローラ、  ２０ａ…偏向ローラ、  ２０ｂ…偏向ローラ、  ２１…シャフト、  ２２…モータ、  ２３…案内装置、  ２４ａ…プーリ、  ２４ｂ…プーリ。
【図１】
2007144164.tif 000003
【図２】
2007144164.tif 000004
【図３】
2007144164.tif 000005
【図４】
2007144164.tif 000006
【図５】
2007144164.tif 000007
【図６】
2007144164.tif 000008
【図７】
2007144164.tif 000009
【図８】
2007144164.tif 000010